(57)【要約】【課題】足や手を保護し、物品を収容可能でかつ心地よく着用することができるハイソックスを提供する。【解決手段】足の甲の関節の位置の上部から上に向かってふくらはぎと太ももとが隣接する関節の位置までの間のソックスの上部部分１１に、ソックスの上部部分１１を覆うようにもう一層の外側のソックス部分２を有する。外側のソックス部分２は、二重になった底部分２１がソックス１の足の甲の関節部分の上方に固定されて、上端は開口部２２になっており、端はかがられている。使用者が着用するとき、収納する物品が直接この外側のソックス部分２内に入れられ、外側のソックス部分２のニットの束縛力を利用して保持されることにより、激しい運動の際あるいは緩和な動きをしても、また、レジャーの際にも、足を保護し、心地よく着用することができる。【選択図】図１
0003135330.tif 000002
【実用新案登録請求の範囲】
【請求項１】
足の甲の関節の位置の上部から上に向かってふくらはぎと太ももとが隣接する関節の位置までの間のソックスの上部部分にソックスの上部部分を覆うようにもう一層の外側のソックス部分を有し、前記外側のソックス部分の二重になった底部分はソックスの足の甲の関節部分の上方に固定されて、上端は開口部になっており、端はかがられているハイソックスであって、使用者が着用後、収納する物品が直接この外側のソックス部分内に入れられ、外側のソックス部分のニットの束縛力を利用して固定されることにより、激しい運動の際あるいは緩和な動きをしても、レジャーの際にも、足を保護し、心地よくはけることを特徴とするハイソックス。
【請求項２】
前記外側のソックス部分内に入れられる物品は、保護効果を有するサポーターであり、さらに外側のソックス部分のニットの束縛力によって固定されることにより、外からの衝撃を足が受ける時、けがをしないように保護することを特徴とする請求項１に記載のハイソックス。
【請求項３】
前記外側のソックス部分内に入れられる物品は、保温効果を有するものであり、さらに外側のソックス部分のニットの束縛力によって固定されることにより、冷たい外気が足に触れないように保温することを特徴とする請求項１に記載のハイソックス。
【請求項４】
外側のソックス部分の表面に各種図案、文字、ロゴ等が結合されることで、充分目を引き、広告宣伝効果を有することを特徴とする請求項１に記載のハイソックス。
【請求項５】
前記外側のソックス部分は、通気性を有し、蒸れる感じを受けないことを特徴とする請求項１に記載のハイソックス。
【請求項６】
前記ハイソックスは、二重になった底部分の位置で切り落とされ、ふくらはぎに着用されることで、足を保護する効果を有すると同時に、着用しやすいことを特徴とする請求項１に記載のハイソックス。
【請求項７】
前記ハイソックスは、二重になった底部分の位置で切り落とされ、手の位置に着用されることで、手を保護する効果を有すると同時に、着用しやすいことを特徴とする請求項１に記載のハイソックス。
【考案の詳細な説明】
【技術分野】
【０００１】
本考案は、物を収納できるハイソックスに関する。
【背景技術】
【０００２】
一般に、サッカー、野球等の激しい運動をするとき、手足を保護するため、その部位にサポーターを取り付ける。これにより、激しい衝撃から身体を保護する。
【考案の開示】
【考案が解決しようとする課題】
【０００３】
しかしながら、実際にサポーターを使用する場合、現在、使用されているサポーターの固定方式は、サポーターの上下の両側に面ファスナー等を設置して、足に固定する方式を採用しており、この方式では、着用が面倒な上、美観も損ねる。ところが、安全性のためには、サポーターを着用せざるを得ず、より実用的で美観も損ねないサポーターが必要である。
本考案は、上述の課題を解決するため創作されたもので、足や手を保護し、物品を収容可能にかつ心地よく着用することができるハイソックスを提供することを目的とする。
【課題を解決するための手段】
【０００４】
上記の目的を達成するため、本考案のハイソックスは、足の甲の関節上部から上に向かってふくらはぎと太ももとが隣接する関節の位置までの間にソックスの上部部分を覆うように外側にもう一層のソックス部分を有する。この外側のソックス部分の二重になった底部分は、ソックスの足の甲の関節部分の位置に固定され、上端は開口部になっていて、端はかがられている。使用者が着用し、サポーター、保温懐炉等の物品を外側のソックス部分の中に入れると、外側のソックス部分がニット状になっていることにより、その束縛力で固定されて、足が保護され、はき心地もよい。
（考案の効果）
【０００５】
本考案のハイソックスは、ソックスの上部部分の外側にソックスの上部部分を覆うように結合させた部分を有する。使用者がこれをはき、物品を直接この外側のソックス部分内に入れて、外側のソックス部分のニットの束縛力を利用して固定することにより、激しい運動の際あるいは緩和な動きをしても、また、レジャーの際にも、足を保護し、心地よくはくことができる。
【０００６】
そして、本考案のハイソックスは、外側のソックス部分に入れる物品が保護を目的としたサポーターである場合、外側のソックス部分がニットであることにより、その束縛力で固定することが可能である。したがって、外的な力で足に衝撃があった場合でも、けがをすることなく、安全に足を保護することができる。
さらに、本考案のハイソックスは、外側のソックス部分に入れる物品が保温を目的とするものである場合、外側のソックス部分がニットであることにより、その束縛力で固定することが可能である。したがって、冷たい外気が足に接触することがないので、保温効果が期待できる。
【０００７】
また、本考案のハイソックスは、外側のソックス部分の表面に各種の図案や文字、ロゴを組み合わせることが可能であり、充分に図案等を目立たせることができるため、広告宣伝効果を有する。
さらに、本考案のハイソックスは、二重になった底部分から下の部分を切り落とすと、手の位置に着用して、手やひじを保護することが可能である。
また、本考案のハイソックスは、二重になった底部分から下の部分を切り落とすと、ふくらはぎの位置に着用して、レッグウォーマーとして使用することが可能である。
【考案を実施するための最良の形態】
【０００８】
以下、本考案の実施例を図面に基づいて説明する。
（第１実施例）
本考案の第１実施例を図１及び図２に示す。
第１実施例のソックス１は、足の甲の関節の位置の上部から上に向かってふくらはぎと太ももとが隣接する関節の位置までの間のソックスの上部部分１１に、ソックスの上部部分１１を覆うように外側にもう一層のソックス部分２を有する。外側のソックス部分２の二重になった底部分２１は、ソックス１の足の甲の関節部分の上方に固定される。上端は開口部２２になっており、端はかがられているため、見た目は美しい。そして、外側のソックス部分２の表面は各種のロゴや文字等の図案２Ａが施されている。
【０００９】
（第２実施例）
本考案の第２実施例を図３から図５に示す。
使用者３は、普通の靴下と同様に第２実施例のソックスを着用する。ソックス１のソックスの上部部分１１及び外側のソックス部分２は通気性を有するため、蒸れる感じはない。例えば、サッカー、バスケットボール及び野球等、激しいあるいは緩和な運動の際、事前に外側のソックス部分２を下に折り返して、足３１にフィットする各種サポーター４を入れ、その後、もう一度外側のソックス部分２を上に引き上げて元の位置に戻す。こうすることにより、外側のソックス部分２内のサポーター４が外側のソックス部分２のニットの束縛力により保持される。このように、第２実施例のソックスは、着用及び使用方法が簡単で、便利であると同時に、足を保護する作用を有する。したがって、使用者３の身体が受ける衝撃を小さくすることが可能である。さらに、外側のソックス部分２によってサポーター４が覆われることで、見た目が美しい効果を有する。そして、外側のソックス部分２の表面に図案や文字２Ａを施せば、充分目を引き、広告宣伝効果が得られる。
【００１０】
（第３実施例）
本考案の第３実施例を図６に示す。
第３実施例のソックス１は、レジャーにも使用可能である。例えば登山の際、気温の変化が大きいこと、道が険しいこと、道が滑って歩きにくく、時にはステッキを使って身体を支える必要が生じることも考えられる。この時、地面に近い足３１が冷たい外気にふれたり、転倒してけがをしたりしないように、ソックスの上部部分１１と外側のソックス部分２との間に保温懐炉等を入れ、さらに、外側のソックス部分２のニットの束縛力により固定することで、保温と保護の効果を有する。
【００１１】
（第４実施例）
本考案の第４実施例を図７に示す。
第４実施例のハイソックスは、ソックス１の応用として、二重になった底部分の下を切り取って、足３１の位置に着用することで、足の保護の効果を有すると同時に、着用しやくしている。
（第５実施例）
本考案の第５実施例を図８に示す。
第４実施例のハイソックスは、ソックス１の応用として、二重になった底部分の下を切り取って、手３２の位置に着用することで、手の保護の効果を有すると同時に、着用しやすくしている。
【図面の簡単な説明】
【００１２】
【図１】本考案の第１実施例によるハイソックスを示す斜視図である。
【図２】本考案の第１実施例によるハイソックスを示す断面図である。
【図３】本考案の第２実施例によるハイソックスをはいた時の状態を示す模式図である。
【図４】本考案の第２実施例によるハイソックスを示す模式図である。
【図５】本考案の第２実施例によるハイソックスを示す模式図である。
【図６】本考案の第３実施例によるハイソックスを示す模式図である。
【図７】本考案第４実施例によるハイソックスを示す模式図である。
【図８】本考案第５実施例によるハイソックスを示す模式図である。
【符号の説明】
【００１３】
１：ソックス、２：外側のソックス部分、２Ａ：図案、３：使用者、４：サポーター部分、１１：ソックスの上部部分、２１：底部分、２２：開口部、３１：足、３２：手
【図１】
0003135330.tif 000003
【図２】
0003135330.tif 000004
【図３】
0003135330.tif 000005
【図４】
0003135330.tif 000006
【図５】
0003135330.tif 000007
【図６】
0003135330.tif 000008
【図７】
0003135330.tif 000009
【図８】
0003135330.tif 000010